(57)【特許請求の範囲】
【請求項１】
光学センサと、
前記光学センサが接続されるセンサ接続部を有するとともに、前記光学センサに電源を供給し、前記センサ接続部近傍で折り曲げられ、前記センサ接続部において折り曲げられた方向とは逆方向に付勢力が発生するように構成されたフレキシブル配線基板と、
前記光学センサを支持するための第１支持面と、前記第１支持面と直交する第２支持面と、前記第１支持面および前記第２支持面に対して直交する第３支持面とを有する支持部と、
レンズ蓋とを備え、
前記光学センサは、前記折り曲げられて配置されたフレキシブル配線基板の付勢力によって、前記支持部の第１支持面に向かって付勢されるとともに、前記第２支持面の方向にも付勢されることにより固定されており、
前記光学センサは、前記支持部の第３支持面と前記レンズ蓋とによって挟み込まれるように構成されている、撮像装置。
【請求項２】
被写体を撮影する撮像素子と、
前記撮像素子を含む装置本体と、
前記装置本体の振れを検知し、振れを補正するための振れ補正部と、
被写体方向からの光を取り込むためのレンズとをさらに備え、
前記レンズ蓋は、前記レンズと前記振れ補正部との間の前記振れ補正部側に配置されている、請求項１に記載の撮像装置。
【請求項３】
前記レンズ蓋は、前記光学センサを前記支持部の第３支持面との間に挟みこむための突出部を一体的に含む、請求項２に記載の撮像装置。
【請求項４】
前記振れ補正部は、前記撮像素子を移動させるための可動部を含み、
前記可動部は、検知片を有し、
前記光学センサは、前記検知片が進入されることにより、前記可動部の位置を検出するように構成され、
前記支持部は、前記第１支持面と対向する側に検知片進入部をさらに含む、請求項２または３に記載の撮像装置。
【請求項５】
前記振れ補正部は、前記撮像素子を移動させるための可動部と、前記可動部を移動可能に支持する固定部とを含み、
前記支持部は、前記固定部または前記可動部に一体的に設けられている、請求項２〜４のいずれか１項に記載の撮像装置。
【発明の詳細な説明】
【技術分野】
【０００１】
この発明は、撮像装置に関し、特に、光学センサと光学センサを支持する支持部とを備えた撮像装置に関する。
【背景技術】
【０００２】
従来、光学センサと光学センサを支持する支持部とを備えた撮像装置などが知られている（たとえば、特許文献１〜３参照）。
【０００３】
上記特許文献１には、鏡筒の原点を検出するフォトインタラプタ（光学センサ）と、フォトインタラプタに電源を供給するためのＰＩ（フォトインタラプタ）引き出し基板と、フォトインタラプタを載置することにより、フォトインタラプタの上面以外の全ての面を支持するベースプレート（支持部）と、ベースプレートに位置決めピンによって固定され、フォトインタラプタの上面に当接することによりフォトインタラプタをベースプレートに固定するＰＩ押さえとを備えるカメラモジュールが開示されている。
【０００４】
また、上記特許文献２には、被駆動部材（可動部）の回転位置を検出する透過型フォトインタラプタ（光学センサ）と、透過型フォトインタラプタが嵌め込まれる位置出し用凸部を含み透過型フォトインタラプタを上方から支持する地板（支持部）と、透過型フォトインタラプタを外部電極を介して下方から支持する回路基板とを備える電子機器が開示されている。この電子機器の外部電極は、透過型フォトインタラプタに電源を供給するために、回路基板上に設けられている。また、回路基板は、回路基板固定用ネジによって地板に固定されている。これにより、透過型フォトインタラプタは、外部電極と離間しないように構成されるとともに、地板と回路基板とによって挟み込まれるように固定される。
【０００５】
また、上記特許文献３には、鏡筒を含む駆動モジュールと、鏡筒の原点位置を検出するためのフォトインタラプタ（光学センサ）と、光学センサが嵌め込まれるセンサ配置部を含み鏡筒を作動させる歯車を支持する歯車支え（支持部）とを備える駆動モジュールのセンサ配置構造が開示されている。このセンサ配置構造のフォトインタラプタは、歯車支えに接着剤を用いることによって、固定されている。
【０００６】
【特許文献１】特開２００７−１０９３４号公報
【特許文献２】特開２００１−１３３５６４号公報
【特許文献３】特開２００６−７１８２５号公報
【発明の開示】
【発明が解決しようとする課題】
【０００７】
しかしながら、上記特許文献１に記載のカメラモジュールでは、フォトインタラプタ（ＰＩ）をベースプレート（支持部）に固定するために、ＰＩ押さえと位置決めピンとが必要であるので、部品点数が増加するという問題点がある。
【０００８】
また、上記特許文献２に記載の電子機器では、透過型フォトインタラプタを地板（支持部）と回路基板とによって挟み込んで固定する際に、回路基板を地板に固定するための回路基板固定用ネジが必要である。このため、部品点数が増加するという問題点がある。
【０００９】
また、上記特許文献３に記載の駆動モジュールのセンサ配置構造では、フォトインタラプタを歯車支え（支持部）のセンサ配置部に固定するために、接着剤を用いて固定する必要があるので、フォトインタラプタを固定する作業が煩雑になるという問題点がある。
【００１０】
この発明は、上記のような課題を解決するためになされたものであり、この発明の１つの目的は、光学センサを支持部に固定するための部品点数の増加を抑制しながら、固定作業の煩雑化を抑制することが可能な撮像装置を提供することである。
【課題を解決するための手段および発明の効果】
【００１１】
この発明の一の局面による撮像装置は、光学センサと、光学センサが接続されるセンサ接続部を有するとともに、光学センサに電源を供給し、センサ接続部近傍で折り曲げられ、センサ接続部において折り曲げられた方向とは逆方向に付勢力が発生するように構成されたフレキシブル配線基板と、光学センサを支持するための第１支持面と、第１支持面と直交する第２支持面と、第１支持面および第２支持面に対して直交する第３支持面とを有する支持部と、レンズ蓋とを備え、光学センサは、折り曲げられて配置されたフレキシブル配線基板の付勢力によって、支持部の第１支持面に向かって付勢されるとともに、第２支持面の方向にも付勢されることにより固定されており、光学センサは、支持部の第３支持面とレンズ蓋とによって挟み込まれるように構成されている。
【００１２】
この一の局面による撮像装置では、上記のように、光学センサが接続されるセンサ接続部近傍で折り曲げられ、センサ接続部において折り曲げられた方向とは逆方向に付勢力が発生するように構成されたフレキシブル配線基板と、光学センサを支持する第１支持面を少なくとも有する支持部とを設け、光学センサは、折り曲げられて配置されたフレキシブル配線基板のセンサ接続部の付勢力によって、少なくとも支持部の第１支持面に向かって付勢されることにより固定されるように構成することによって、光学センサは、フレキシブル配線基板をセンサ接続部近傍で折り曲げることにより発生する付勢力によって支持部の第１支持面に付勢されて固定される。これにより、光学センサを支持部に固定するためだけの部品を設ける必要がないので、光学センサを支持部に固定するための部品点数が増加するのを抑制することができる。また、光学センサは、フレキシブル配線基板がセンサ接続部近傍で折り曲げられることにより発生する付勢力によって支持部の第１支持面に固定されるので、光学センサを支持部に固定するための作業は、センサ接続部に光学センサを取り付けたフレキシブル配線基板をセンサ接続部近傍で折り曲げて、支持部の第１支持面に光学センサが当接するようにフレキシブル配線基板を配置する作業のみでよい。これにより、光学センサを接着剤により支持部に固定する場合に比べて、光学センサの支持部に対する固定作業の煩雑化を抑制することができる。
また、支持部は、第１支持面と直交する第２支持面をさらに含み、光学センサは、フレキシブル配線基板のセンサ接続部の付勢力によって、第１支持面の方向のみならず、第２支持面の方向にも付勢されるように構成されている。これにより、光学センサは、フレキシブル配線基板のセンサ接続部による付勢力により第１支持面のみならず第１支持面とは直交する第２支持面によっても固定される。その結果、光学センサを支持部により安定して固定することができる。
また、支持部は、第１支持面および第２支持面に対して直交する第３支持面をさらに含み、光学センサは、支持部の第３支持面とレンズ蓋とによって挟み込まれるように構成されている。これにより、第１支持面および第２支持面のみならず第３支持面によっても光学センサを支持することができるので、光学センサを支持部によりさらに安定して固定することができる。また、レンズ蓋を光学センサを挟み込む部材として用いることによって、光学センサを固定するための専用の部材を設ける必要がないので、部品点数が増加することもない。
【００１４】
上記一の局面による撮像装置において、好ましくは、被写体を撮影する撮像素子と、撮像素子を含む装置本体と、装置本体の振れを検知し、振れを補正するための振れ補正部と、被写体方向からの光を取り込むためのレンズとをさらに備え、レンズ蓋は、レンズと振れ補正部との間の振れ補正部側に配置されている。
【００１５】
この場合、好ましくは、レンズ蓋は、光学センサを支持部の第３支持面との間に挟みこむための突出部を一体的に含む。このように構成すれば、レンズ蓋の突出部により、容易に、光学センサをレンズ蓋と支持部の第３支持面との間に挟み込むことができる。
【００１６】
上記撮像素子と振れ補正部とを備える撮像装置において、好ましくは、振れ補正部は、撮像素子を移動させるための可動部を含み、可動部は、検知片を有し、光学センサは、検知片が進入されることにより、可動部の位置を検出するように構成され、支持部は、第１支持面と対向する側に検知片進入部をさらに含む。このように構成すれば、光学センサを支持部によって固定しながら、光学センサに移動する検出片を進入させるように構成することができる。また、振れ補正部の移動機構に本発明の光学センサの取付構造を適用することによって、可動部の位置検出のための光学センサを固定する専用の部品を別途設ける必要がないので、振れ補正部の部品点数の増加を抑制することができる。
【００１７】
上記振れ補正部を備える撮像装置において、好ましくは、振れ補正部は、撮像素子を移動させるための可動部と、可動部を移動可能に支持する固定部とを含み、支持部は、固定部または可動部に一体的に設けられている。このように構成すれば、支持部は、振れ補正部の固定部または可動部に一体的に形成されるので、可動部の位置検出のための光学センサを固定する専用の部品を別途設ける必要がない。これにより、光学センサを振れ補正部に固定するための部品点数の増加を抑制することができる。
【発明を実施するための最良の形態】
【００１８】
以下、本発明を具体化した実施形態を図面に基づいて説明する。
【００１９】
図１および図２は、本発明の一実施形態によるビデオカメラの全体構成を示す斜視図である。また、図３〜図１５は、図１に示した本発明の一実施形態によるビデオカメラの詳細な構成を説明するための図である。図１〜図１５を参照して、本発明の一実施形態によるビデオカメラ１の構成について説明する。なお、本実施形態では、撮像装置の一例であるビデオカメラ１に本発明を適用した場合について説明する。
【００２０】
本発明の一実施形態によるビデオカメラ１では、図１および図２に示すように、装置本体２に、複数の光学レンズからなるレンズ部３（図１参照）が内部に収納された鏡筒４と、ストロボ５（図１参照）と、内蔵マイク６（図１参照）と、ビデオテープ（図示せず）が着脱可能に装着されるビデオカセット部７と、メモリーカード挿入部８（図２参照）とが設けられている。また、ビデオカメラ１は、映像を録画する際に使用される録画／再生ボタン９と、静止画像を撮影する際に使用されるシャッタボタン１０と、電源ボタン１１（図２参照）と、ファインダ１２（図２参照）と、録画時の映像を画面表示可能な液晶モニタ１３（図２参照）とを備えている。また、図２に示すように、装置本体２の内部のレンズ部３の後方には、後述するＣＣＤ（図３参照）を移動させるための振れ補正部３０が配置されている。
【００２１】
また、図１および図２に示すように、レンズ部３（図１参照）が収納された鏡筒４は、装置本体２の正面側から外部に水平に突出されるように構成されている。また、ストロボ５は、撮影時に補助光として発光する機能を有している。また、内蔵マイク６は、撮影時（録画時）に被写体周辺の音を収集する機能を有している。また、ビデオカセット部７およびメモリーカード挿入部８は、それぞれビデオテープ（図示せず）およびメモリカード（図示せず）に撮影された動画画像と静止画像とを記憶することが可能なように構成されている。また、録画／再生ボタン９は、ユーザが撮影時に押圧することによって、後述するＣＣＤ（図３参照）が撮影した映像をビデオテープ（図示せず）に記憶する動作を開始するとともに、録画終了時には、ビデオテープ（図示せず）への記憶動作を停止する機能を有している。
【００２２】
また、ファインダ１２および液晶モニタ１３は、ユーザがファインダ１２および液晶モニタ１３のいずれか、またはその両方を通して被写体を見ながら、撮影範囲を決定することが可能なように構成されている。また、液晶モニタ１３は、ビデオカメラ１の画像設定および音声設定などの各種設定を行うための設定画面を表示することが可能なように構成されている。また、操作ボタン１４は、液晶モニタ１３に表示される設定画面から各項目を選択するなど、液晶モニタ１３に表示される画面上の操作を行うことが可能なように構成されている。
【００２３】
ここで、本実施形態では、図３に示すように、振れ補正部３０の矢印Ｚ１方向には、レンズ３が収納される鏡筒４が配置される。また、振れ補正部３０と鏡筒４との間には、レンズ３および鏡筒４の動作を安定させるためのレンズ蓋２０が配置される。このレンズ蓋２０は、図４および図５に示すように、後述するフォトインタラプタ４６を固定するための突出部２０ａを有している。
【００２４】
また、振れ補正部３０は、図６および図７に示すように、動画画像および静止画像を撮影するためのＣＣＤ（Ｃｈａｒｇｅ  Ｃｏｕｐｌｅｄ  Ｄｅｖｉｃｅｓ）３１と、ＣＣＤ３１が取り付けられるとともに、ＣＣＤ３１を移動させるためのＸ−Ｙステージ３２とを含んでいる。なお、ＣＣＤ３１は、本発明の「撮像素子」の一例であり、Ｘ−Ｙステージ３２は、本発明の「可動部」の一例である。また、Ｘ−Ｙステージ３２の矢印Ｙ１方向側の端部の上面には、Ｘ−Ｙステージ３２に後述するＸ軸ステッピングモータ３５の駆動を伝達するためのＬ字形状のアーム部材３３が取り付けられている。このアーム部材３３は、ネジ部材３４によってＸ−Ｙステージ３２に取り付けられている。
【００２５】
また、アーム部材３３の後述する固定ステージ３６の矢印Ｙ１方向側の外側には、矢印Ｘ２方向側の端部に垂直下方に延びる側面部３３ａが設けられている。この側面部３３ａの矢印Ｘ２方向側には、Ｘ−Ｙステージ３２をアーム部材３３を介してＸ方向に移動させるための駆動源となるＸ軸ステッピングモータ３５が設けられている。このＸ軸ステッピングモータ３５は、装置本体２（図１および図２参照）に固定された固定ステージ３６に固定されている。なお、固定ステージ３６は、本発明の「固定部」の一例である。また、Ｘ軸ステッピングモータ３５は、ネジ軸状に構成され、Ｘ軸ステッピングモータ３５によって回転駆動されるモータスクリュー３５ａを含んでいる。このモータスクリュー３５ａは、アーム部材３３の側面部３３ａに設けられる切欠部３３ｂに挿入され、アーム部材３３の側面部３３ａに対して矢印Ｘ１方向側に配置されるナット部材３７に螺合されている。このナット部材３７によって、Ｘ軸ステッピングモータ３５が回転駆動を直線駆動に変換することにより、Ｘ−Ｙステージ３２をＸ方向に直線移動させることが可能となる。
【００２６】
また、固定ステージ３６の矢印Ｙ１方向側には、引張コイルバネ３８が配置されている。この引張コイルバネ３８は、固定ステージ３６の矢印Ｙ１方向側に形成されたフック部３６ａに一方端が取り付けられるとともに、アーム部材３３の側面部３３ａの矢印Ｘ１方向側に形成されたフック部３３ｃに他方端が取り付けられている。また、引張コイルバネ３８は、Ｘ−Ｙステージ３２を矢印Ｘ１方向に付勢するために設けられており、Ｘ方向と実質的に平行に配置されている。これにより、Ｘ−Ｙステージ３２は、引張コイルバネ３８によって矢印Ｘ１方向に常に付勢されるので、Ｘ−Ｙステージ３２が矢印Ｘ１方向に移動する際のモータスクリュー３５ａとナット部材３７との間に遊びが発生するのを抑制することが可能である。
【００２７】
また、振れ補正部３０は、図６および図７に示すように、Ｘ−Ｙステージ３２をＹ方向に移動させるためのＹステージ３９を含んでいる。このＹステージ３９の矢印Ｘ２側の端部近傍の矢印Ｙ１方向側には、Ｙステージ３９をＹ方向に移動させるための駆動源となるＹ軸ステッピングモータ４０が配置されている。なお、Ｙステージ３９は、本発明の「可動部」の一例である。また、Ｙステージ３９は、Ｙ軸ステッピングモータ４０の矢印Ｙ２方向側近傍に取付部３９ａを含んでいる。なお、Ｙ軸ステッピングモータ４０は、Ｘ軸ステッピングモータ３５と同様、ネジ軸状のモータスクリュー４０ａを含む。このモータスクリュー４０ａは、取付部３９ａに対してＹ軸ステッピングモータ４０とは反対側に配置されるナット部材４１に螺合されている。このナット部材４１を介して、Ｙステージ３９は、Ｙ軸ステッピングモータ４０によってＹ方向に移動される。また、Ｙ軸ステッピングモータ４０は、固定ステージ３６に固定されている。
【００２８】
また、Ｙ軸ステッピングモータ４０の矢印Ｙ２方向側には、引張コイルバネ４２が配置されている。また、Ｙステージ３９は、取付部３９ａの矢印Ｙ２方向側に引張コイルバネ４２の矢印Ｙ１方向側の端部が接続されるフック部３９ｂを有している。また、固定ステージ３６は、フック部３９ｂの矢印Ｙ２方向側に、フック部３６ｂを有している。このフック部３６ｂには、引張コイルバネ４２の矢印Ｙ２方向側の端部が接続されている。また、引張コイルバネ４２は、Ｙステージ３９を矢印Ｙ２方向に付勢するために設けられており、Ｙ方向と実質的に平行になるように配置されている。これにより、Ｙステージ３９は、引張コイルバネ４２によって矢印Ｙ２方向に常に付勢されているので、Ｙステージ３９が矢印Ｙ２方向に移動する際のモータスクリュー４０ａとナット部材４１との間に遊びが発生するのを抑制することが可能である。
【００２９】
また、図６および図７に示すように、固定ステージ３６の矢印Ｘ２方向側には、Ｙ方向と平行に配置され、Ｙステージ３９に設けられたシャフト孔３９ｃに挿入されるＹ軸スライドシャフト４３が取り付けられている。このＹ軸スライドシャフト４３の直径は、Ｙステージ３９がＹ軸スライドシャフト４３に対して摺動可能なように、シャフト孔３９ｃの直径よりも若干小さくなるように設計されている。これにより、Ｙステージ３９は安定してＹ方向に移動することが可能となる。
【００３０】
また、Ｙステージ３９のＹ１方向側およびＹ２方向側には、Ｘ方向と平行に配置されたＸ軸スライドシャフト４４およびＸ軸スライドシャフト４５が取り付けられている。このＸ軸スライドシャフト４４は、Ｘ−Ｙステージ３２のＹ方向の中央部に設けられたシャフト孔３２ａに挿入されている。また、Ｘ軸スライドシャフト４５は、Ｘ−Ｙステージ３２の矢印Ｙ２側の端部の凸部３２ｂに設けられたシャフト孔３２ｃに挿入されている。このＸ軸スライドシャフト４４および４５の直径は、Ｘ−Ｙステージ３２がＸ軸スライドシャフト４４および４５に対して摺動可能なように、シャフト孔３２ａおよび３２ｃの直径よりも若干小さくなるように設計されている。これにより、Ｘ−Ｙステージ３２は、Ｘ方向に安定して移動可能になるとともに、Ｙステージ３９のＹ方向の移動に伴って、Ｙ方向にも移動可能となる。
【００３１】
ここで、本実施形態では、図７および図８に示すように、Ｙステージ３９の矢印Ｘ２方向側と矢印Ｙ２方向側との角部近傍には、矢印Ｚ２方向に検知片３９ｄが一体的に形成されている。また、固定ステージ３６の矢印Ｘ２方向側と矢印Ｙ２方向側との角部近傍には、Ｙ方向に移動するＹステージ３９の検知片３９ｄを検出するための透過型の光学センサであるフォトインタラプタ４６を固定するための支持部３６ｃが一体的に設けられている。なお、フォトインタラプタ４６は、本発明の「光学センサ」の一例である。このフォトインタラプタ４６は、電源ボタン１１（図２参照）が押下された際に、Ｙステージ３９が基準位置に移動したことを検知するために設けられている。なお、Ｙステージ３９の基準位置とは、検知片３９ｄがフォトインタラプタ４６の検出用凹部４６ａに進入することにより、フォトインタラプタ４６によって検知される位置である。
【００３２】
また、本実施形態では、図９に示すように、フォトインタラプタ４６の４つの端子４６ｂは、折り曲げ可能なフレキシブル配線基板４７（以下ＦＰＣ（Ｆｌｅｘｉｂｌｅ  Ｐｒｉｎｔｅｄ  Ｃｉｒｃｕｉｔ）４７という）の端部近傍のセンサ接続部４７ａに半田付けなどにより電気的に接続されている。このＦＰＣ４７は、フォトインタラプタ４６に電源を供給するとともに、フォトインタラプタ４６によって出力された電気信号を図示しない回路基板に伝達するために設けられている。また、ＦＰＣ４７は、センサ接続部４７ａ近傍に位置する折曲がり部４７ｂにおいて折り曲げた状態で配置される。この折曲がり部４７ｂを支点として、センサ接続部４７ａは、図１０に示すように、矢印Ｐ方向に向かって付勢力が発生するように構成されている。  
【００３３】
また、図１１に示すように、支持部３６ｃは、固定ステージ３６の内側面の厚み方向の中央部近傍から矢印Ｘ１方向に向かって突出するように形成されている。また、支持部３６ｃは、図１２に示すように、フォトインタラプタ４６（図９参照）を矢印Ｚ１方向に支持する支持壁面３６ｄを有する壁部３６ｅを含んでいる。なお、支持壁面３６ｄは、本発明の「第３支持面」の一例である。また、支持部３６ｃは、フォトインタラプタ４６を矢印Ｙ１方向に支持する支持壁面３６ｆと矢印Ｘ２方向に支持する支持壁面３６ｇとを有するＬ字形状部３６ｈをさらに含んでいる。このＬ字形状部３６ｈは、壁部３６ｅから矢印Ｚ１方向に向かって突出するように形成されている。なお、支持壁面３６ｆは、本発明の「第１支持面」の一例であり、支持面壁３６ｇは、本発明の「第２支持面」の一例である。
【００３４】
また、本実施形態では、図１０に示すように、折曲がり部４７ｂを支点として折り曲げられたＦＰＣ４７のセンサ接続部４７ａによって矢印Ｐ方向に付勢されるフォトインタラプタ４６は、Ｌ字形状部３６ｈの支持壁面３６ｆおよび支持壁面３６ｇによって支持される。具体的には、ＦＰＣ４７は、弾性を有しているので、折曲がり部４７ｂを支点として折り曲げられたＦＰＣ４７は、センサ接続部４７ａに矢印Ｐ方向の反発力が発生する。これにより、ＦＰＣ４７のセンサ接続部４７ａとＬ字形状部３６ｈの支持壁面３６ｆおよび支持壁面３６ｇに押さえ付けられるので、フォトインタラプタ４６は、支持壁面３６ｆおよび３６ｇにより支持される。
【００３５】
また、図９および図１２に示すように、支持部３６ｃは、壁部３６ｅから矢印Ｚ１方向に向かって突出するように形成され、フォトインタラプタ４６の矢印Ｙ１方向の動きを規制するための突起部３６ｉをさらに含んでいる。また、支持部３６ｃは、壁部３６ｅから矢印Ｚ１方向に向かって突出するように形成され、ＦＰＣ４７のセンサ接続部４７ａおよびフォトインタラプタ４６の矢印Ｘ２方向の動きを規制するための突起部３６ｊを含んでいる。また、支持部３６ｃの矢印Ｙ１方向側には、フォトインタラプタ４６（図９参照）に検知片３９ｄを進入させるための開放部３６ｋが設けられている。なお、開放部３６ｋは、本発明の「検知片進入部」の一例である。
【００３６】
また、本実施形態では、図４、図５、図８、図９および図１１に示すように、レンズ蓋２０は、外周面から外側に向かって突出するように形成された突出部２０ａを含んでいる。この突出部２０ａは、図４、図８および図９に示すように、フォトインタラプタ４６の矢印Ｚ１方向の動きを規制するために設けられている。これにより、フォトインタラプタ４６は、この突出部２０ａと支持部３６ｃの壁部３６ｅとによって挟み込まれることにより、Ｚ方向に対して固定されている。
【００３７】
ここで、本実施形態では、図６および図７に示すように、Ｘ−Ｙステージ３２の矢印Ｘ１方向側と矢印Ｙ１方向側との角部近傍には、検知片３２ｄが一体的に形成されている。また、Ｙステージ３９の矢印Ｘ２方向側と矢印Ｙ２方向側との角部近傍には、Ｘ方向に移動するＸ−Ｙステージ３２の検知片３２ｄを検出するための透過型の光学センサであるフォトインタラプタ４８が配置されるとともに、フォトインタラプタ４８を固定するための支持部３９ｅが一体的に設けられている。なお、フォトインタラプタ４８は、本発明の「光学センサ」の一例である。このフォトインタラプタ４８は、電源ボタン１１（図２参照）が押下された際に、Ｘ−Ｙステージ３２が基準位置に移動したことを検知するために設けられている。なお、Ｘ−Ｙステージ３２の基準位置とは、検知片３２ｄがフォトインタラプタ４８の検出用凹部４８ａに進入することにより、フォトインタラプタ４８によって検知される位置である。
【００３８】
また、本実施形態では、図１３に示すように、フォトインタラプタ４８の４つの端子４６ｂは、折り曲げ可能なフレキシブル配線基板４９（以下ＦＰＣ４９という）の端部近傍のセンサ接続部４７ａに半田付けなどにより電気的に接続されている。このＦＰＣ４９は、フォトインタラプタ４８に電源を供給するとともに、フォトインタラプタ４８によって出力された電気信号を図示しない回路基板に伝達するために設けられている。また、ＦＰＣ４９は、センサ接続部４９ａ近傍に位置する折曲がり部４９ｂにおいて折り曲げた状態で配置される。この折曲がり部４９ｂを支点として、センサ接続部４９ａは、後述するＬ字形状部３９ｊに向かって付勢力が発生するように構成されている。  
【００３９】
また、本実施形態では、図１３に示すように、支持部３９ｅは、固定ステージ３６の内側面の厚み方向から矢印Ｙ２方向に向かって突出するように形成されている。また、支持部３９ｅは、フォトインタラプタ４８を矢印Ｚ１方向に支持する支持壁面３９ｆを有する壁部３９ｇを含んでいる。なお、支持壁面３９ｆは、本発明の「第３支持面」の一例である。また、支持部３９ｅは、フォトインタラプタ４８を矢印Ｘ１方向に支持する支持壁面３９ｈと矢印Ｙ２方向に支持する支持壁面３９ｉとを有するＬ字形状部３９ｊをさらに含んでいる。このＬ字形状部３９ｊは、壁部３９ｇから矢印Ｚ１方向に向かって突出するように形成されている。なお、支持壁面３９ｈは、本発明の「第１支持面」の一例であり、支持壁面３９ｉは、本発明の「第２支持面」の一例である。
【００４０】
また、本実施形態では、図１３に示すように、折曲がり部４９ｂを支点として折り曲げられたＦＰＣ４９のセンサ接続部４９ａによって矢印Ｑ方向に付勢されるフォトインタラプタ４８は、Ｌ字形状部３９ｊの支持壁面３９ｈおよび支持壁面３９ｉによって支持される。これにより、ＦＰＣ４９のセンサ接続部４９ａとＬ字形状部３９ｊの支持壁面３９ｈおよび支持壁面３９ｉとによって、フォトインタラプタ４８は、挟み込まれるように構成されている。
【００４１】
また、図１３に示すように、支持部３９ｅは、壁部３９ｇから矢印Ｚ１方向に向かって突出するように形成され、フォトインタラプタ４８の矢印Ｘ２方向の動きを規制するための突起部３９ｋを含んでいる。また、支持部３９ｅは、壁部３９ｇから矢印Ｚ１方向に向かって突出するように形成され、ＦＰＣ４９のセンサ接続部４９ａおよびフォトインタラプタ４８の矢印Ｙ１方向の動きを規制するための突起部３９ｌを含んでいる。また、支持部３９ｅの矢印Ｘ２方向側には、フォトインタラプタ４８に検知片３２ｄを進入させるための開放部３９ｍが設けられている。なお、開放部３９ｍは、本発明の「検知片進入部」の一例である。
【００４２】
また、本実施形態では、図４、図５および図８に示すように、フォトインタラプタ４６は、レンズ蓋２０と支持部３９ｅの壁部３９ｇによって挟み込まれるように構成されている。
【００４３】
また、本実施形態では、図１４に示すように、装置本体２の内部には、Ｘ軸ステッピングモータ３５とＹ軸ステッピングモータ４０とをモータドライバ６１を介して制御するＣＰＵからなる制御部６２が配置されている。この制御部６２は、電源ボタン１１が押下されると、Ｘ軸ステッピングモータ３５とＹ軸ステッピングモータ４０とをモータドライバ６１を介して駆動させ、Ｘ−Ｙステージ３２およびＹステージ３９を基準位置に移動させるように制御するように構成されている。また、装置本体２の内部には、装置本体２の手振れを検知するためのジャイロセンサ６３が設けられている。このジャイロセンサ６３で検知された装置本体２の振れ量の情報は、制御部６２に伝達されるように構成されている。
【００４４】
また、制御部６２は、電源ボタン１１が押下されると、Ｘ軸ステッピングモータ３５およびＹ軸ステッピングモータ４０を回転駆動させて、Ｘ−Ｙステージ３２およびＹステージ３９を基準位置に到達させる。このとき、図１５に示すような位置にＹステージ３９が基準位置に到達すると、フォトインタラプタ４６が検知片３９ｄの進入を検出し、この情報を制御部６２に伝達するように構成されている。また、図１５に示すようなＸ−Ｙステージ３２が基準位置に到達すると、フォトインタラプタ４８が検知片３２ｄの進入を検出し、この情報を制御部６２に伝達するように構成されている。
【００４５】
また、制御部６２は、シャッタボタン１０が押下されると、装置本体２の振れ量の検出を開始するようにジャイロセンサ６３を制御するとともに、ジャイロセンサ６３によって検出された振れ量に基づいて、ＣＣＤ３１の振れ量が小さくなる方向にＸ−Ｙステージ３２およびＹステージ３９を移動させるようにＸ軸ステッピングモータ３５と、Ｙ軸ステッピングモータ４０とをモータドライバ６１を介して駆動させるように構成されている。
【００４６】
本実施形態では、上記のように、フォトインタラプタ４６が取り付けられるセンサ接続部４７ａ近傍で折り曲げられ、センサ接続部４７ａにおいて折り曲げられた方向とは逆方向に付勢力が発生するように構成されたＦＰＣ４７と、フォトインタラプタ４６を支持する支持壁面３６ｆを少なくとも有する支持部３６ｃとを設け、フォトインタラプタ４６は、折り曲げられて配置されたＦＰＣ４７のセンサ接続部４７ａの付勢力によって、少なくとも支持部３６ｃの支持壁面３６ｆに向かって付勢されることにより固定されるように構成することによって、フォトインタラプタ４６は、ＦＰＣ４７をセンサ接続部４７ａ近傍で折り曲げることにより発生する付勢力によって支持部３６ｃの支持壁面３６ｆに付勢されて固定される。これにより、フォトインタラプタ４６を支持部３６ｃに固定するためだけの部品を設ける必要がないので、フォトインタラプタ４６を支持部３６ｃに固定するための部品点数が増加するのを抑制することができる。また、フォトインタラプタ４６は、ＦＰＣ４７がセンサ接続部４７ａ近傍で折り曲げられることにより発生する付勢力によって支持部３６ｃの支持壁面３６ｆに固定されるので、フォトインタラプタ４６を支持部３６ｃに固定するための作業は、センサ接続部４７ａにフォトインタラプタ４６を取り付けたＦＰＣ４７をセンサ接続部４７ａ近傍で折り曲げて、支持部３６ｃの支持壁面３６ｆにフォトインタラプタ４６が当接するようにＦＰＣ４７を配置する作業のみでよい。これにより、フォトインタラプタ４６を接着剤により支持部３６ｃに固定する場合に比べて、フォトインタラプタ４６の支持部３６ｃに対する固定作業の煩雑化を抑制することができる。
【００４７】
また、本実施形態では、上記のように、支持部３６ｃに、支持壁面３６ｆと直交する支持壁面３６ｇをさらに設け、フォトインタラプタ４６を、ＦＰＣ４７のセンサ接続部４７ａの付勢力によって、支持壁面３６ｆの方向のみならず、支持壁面３６ｇの方向にも付勢されるように構成する。これにより、フォトインタラプタ４６は、ＦＰＣ４７のセンサ接続部４７ａによる付勢力により支持壁面３６ｆのみならず支持壁面３６ｆとは直交する支持壁面３６ｇによっても固定される。その結果、フォトインタラプタ４６を支持部３６ｃにより安定して固定することができる。
【００４８】
また、本実施形態では、上記のように、支持部３６ｃに、支持壁面３６ｆおよび支持壁面３６ｇに対して直交する支持壁面３６ｄをさらに設け、被写体を撮影するＣＣＤ３１と、ＣＣＤ３１を含む装置本体２と、装置本体２の振れを検知し、振れを補正するための振れ補正部３０と、被写体方向からの光を取り込むためのレンズ３と、レンズ３と振れ補正部３０との間の振れ補正部３０側に配置されるレンズ蓋２０とをさらに設け、フォトインタラプタ４６を、支持部３６ｃの支持壁面３６ｄと前記レンズ蓋２０とによって挟み込まれるように構成する。これにより、支持壁面３６ｆおよび支持壁面３６ｇのみならず支持壁面３６ｄによってもフォトインタラプタ４６を支持することができるので、フォトインタラプタ４６を支持部３６ｃによりさらに安定して固定することができる。また、レンズ蓋２０をフォトインタラプタ４６を挟み込む部材として用いることによって、フォトインタラプタ４６を固定するための専用の部材を設ける必要がないので、部品点数が増加することもない。
【００４９】
また、本実施形態では、上記のように、レンズ蓋２０に、フォトインタラプタ４６を支持部３６ｃの支持壁面３６ｄとの間に挟みこむための突出部２０ａを一体的に設けることによって、レンズ蓋２０の突出部２０ａにより、容易に、フォトインタラプタ４６をレンズ蓋２０と支持部３６ｃの支持壁面３６ｄとの間に挟み込むことができる。
【００５０】
また、本実施形態では、上記のように、振れ補正部３０に、ＣＣＤ３１を移動させるためのＸ−Ｙステージ３２を設け、Ｘ−Ｙステージ３２に、検知片３９ｄを設け、フォトインタラプタ４６を、検知片３９ｄが進入されることによりＹステージ３９の位置を検出するように構成し、支持部３６ｃには、支持壁面３６ｆと対向する側に開放部３６ｋをさらに設ける。このように構成すれば、フォトインタラプタ４６を支持部３６ｃによって固定しながら、フォトインタラプタ４６に移動する検知片３９ｄを進入させるように構成することができる。また、振れ補正部３０の移動機構に本発明のフォトインタラプタ４６の取付構造を適用することによって、Ｙステージ３９の位置検出のためのフォトインタラプタ４６を固定する専用の部品を別途設ける必要がないので、振れ補正部３０の部品点数の増加を抑制することができる。
【００５１】
また、本実施形態では、振れ補正部３０に、Ｙステージ３９と、Ｙステージ３９を移動可能に支持する固定ステージ３６とを設け、支持部３６ｃが、固定ステージ３６に一体的に設けられるように構成する。これにより、支持部３６ｃは、固定ステージ３９に一体的に形成されるので、Ｙステージ３９の位置検出のためのフォトインタラプタ４６を固定する専用の部品を別途設ける必要がない。また、支持部３９ｅを、Ｙステージ３９に一体的に設けられるように構成することによって、支持部３９ｅは、Ｙステージ３９に一体的に形成されるので、Ｘ−Ｙステージ３２の位置検出のためのフォトインタラプタ４８を固定する専用の部品を別途設ける必要がない。その結果、フォトインタラプタ４６および４８を振れ補正部３０に固定するための部品点数の増加を抑制することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、撮像装置の一例としてビデオカメラを示したが、本発明はこれに限らず、光学センサと移動する検知片とを備える撮像装置であれば、ビデオカメラ以外の他の撮像装置にも適用可能である。
【００５４】
また、上記実施形態では、光学センサの一例として透過型のフォトインタラプタを示したが、本発明はこれに限らず、反射型のフォトインタラプタなどの他の光学センサを用いてもよい。
【００５５】
また、上記実施形態では、撮像素子の一例としてＣＣＤを示したが、本発明はこれに限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの他の撮像素子を用いてもよい。
【図面の簡単な説明】
【００５６】
【図１】本発明の一実施形態によるビデオカメラの全体構成を示す斜視図である。
【図２】本発明の一実施形態によるビデオカメラの全体構成を示す斜視図である。
【図３】図１に示した本発明の一実施形態によるビデオカメラの構成を示す分解斜視図である。
【図４】図１に示した本発明の一実施形態によるビデオカメラの振れ補正部の構成を説明するための斜視図である。
【図５】図１に示した本発明の一実施形態によるビデオカメラの振れ補正部の構成を説明するための平面図である。
【図６】図１に示した本発明の一実施形態によるビデオカメラの振れ補正部の構成を説明するための斜視図である。
【図７】図１に示した本発明の一実施形態によるビデオカメラの振れ補正部の構成を説明するための平面図である。
【図８】図１に示した本発明の一実施形態によるビデオカメラの支持部およびフォトインタラプタの構成を示す図である。
【図９】図８に示した支持部およびフォトインタラプタの構成を示す拡大斜視図である。
【図１０】図８に示した支持部およびフォトインタラプタの構成を示す拡大平面図である。
【図１１】図８に示した支持部の構造を示す拡大斜視図である。
【図１２】図８に示した支持部の構造を示す拡大斜視図である。
【図１３】図８に示した支持部およびフォトインタラプタの構成を示す拡大斜視図である。
【図１４】図１に示した本発明の一実施形態によるビデオカメラの構成を示すブロック図である。
【図１５】図１に示した本発明の一実施形態によるＸ−ＹステージおよびＹステージの基準位置を説明するための平面図である。
【符号の説明】
【００５７】
１      ビデオカメラ（撮像装置）
２      装置本体
３０    振れ補正部
３１    ＣＣＤ（撮像素子）
３２    Ｘ−Ｙステージ（可動部）
３２ｄ  検知片
３６    固定ステージ（固定部）
３６ｃ  支持部
３６ｄ  支持壁面（第３支持面）
３６ｆ  支持壁面（第１支持面）
３６ｇ  支持壁面（第２支持面）
３６ｋ  開放部（検知片進入部）
３９    Ｙステージ（可動部）
３９ｄ  検知片
３９ｅ  支持部（支持部）
３９ｆ  支持壁面（第３支持面）
３９ｈ  支持壁面（第１支持面）
３９ｉ  支持壁面（第２支持面）
３９ｍ  開放部（検知片進入部）
４６    フォトインタラプタ（光学センサ）
４７    ＦＰＣ（フレキシブル配線基板）
４７ａ  センサ接続部
４８    フォトインタラプタ（光学センサ）
４９    ＦＰＣ（フレキシブル配線基板）
４９ａ  センサ接続部
【図１】
0004924351.tif 000002
【図２】
0004924351.tif 000003
【図３】
0004924351.tif 000004
【図４】
0004924351.tif 000005
【図５】
0004924351.tif 000006
【図６】
0004924351.tif 000007
【図７】
0004924351.tif 000008
【図８】
0004924351.tif 000009
【図９】
0004924351.tif 000010
【図１０】
0004924351.tif 000011
【図１１】
0004924351.tif 000012
【図１２】
0004924351.tif 000013
【図１３】
0004924351.tif 000014
【図１４】
0004924351.tif 000015
【図１５】
0004924351.tif 000016